(57)【要約】【課題】医師、医療会社等の医療関係者同士の親密度を高め、意見交換の活発化を図ることにより、医療関係者の親密度や連携を高め、利用者のニーズにより合致した医療情報の交換を効率的に行うことが可能な医療情報交換システムを提供する。【解決手段】医療情報交換システム１００を、通信ネットワーク１と、複数のユーザ端末２０と、サーバ４０と、医療情報を記憶するデータベース５０とを備えて構成する。サーバ４０は、ユーザの認証を行うユーザ管理部４１と、医療情報の登録、共有化、解析、検索、提供等を行うファイル共有部４２と、チャット等によりユーザ同士のメッセージのやり取りを行うメッセージ交換部４３と、オンライン会議を行う会議実行部４４と、を備えて構成する。ファイル共有部４２は、医療情報を解析し、キーワードを抽出して、当該キーワードと医療情報とを互いに関連付けて医療情報記憶部５６に記憶する。【選択図】図１
2014228978.tif 000002
【特許請求の範囲】
【請求項１】
ユーザ端末とサーバとが、通信ネットワークを介して相互に接続して構成され、複数のユーザで構成されるコミュニティに所属する前記ユーザ間で医療情報を共有する医療情報交換システムであって、
前記サーバは、
前記ユーザの認証情報および前記ユーザが所属するコミュニティが関連づけられて記憶されたユーザ情報記憶部と、
前記コミュニティごとに、医療情報がキーワードと関連付けられて記憶された医療情報記憶部と、
前記認証情報に基づいて、前記サーバにアクセスする前記ユーザの認証を行うユーザ管理部と、
前記ユーザから投稿されるメッセージおよび前記医療情報を受信し、前記コミュニティに所属する他のユーザに送信して、前記ユーザ間でのメッセージの交換を行わせるメッセージ交換部と、
前記医療情報記憶部にアクセスして、前記ユーザから投稿される前記医療情報を記憶するとともに、前記医療情報を読み出して、前記コミュニティに所属する前記ユーザ間で前記医療情報を共有させるファイル共有部と、
前記ユーザからの会議の開催要求に応じて前記会議を登録し、前記会議に参加する前記ユーザに前記会議の開催を通知し、前記ユーザ間で前記医療情報を共有しながら、前記通信ネットワークを介して前記ユーザ間での会議を実行させる会議実行部と、を備え、
前記ファイル共有部は、
前記ユーザ端末から投稿された前記医療情報または前記医療情報記憶部に記憶された前記医療情報を取得し、当該医療情報を解析してキーワード情報を抽出し、前記キーワード情報と関連付けて、前記コミュニティごとに前記医療情報および前記キーワード情報を前記医療情報記憶部に記憶するとともに、前記ユーザからの検索要求に応じて、前記キーワード情報に基づいて前記医療情報記憶部を検索し、取得した前記医療情報を、前記ユーザ端末に送信することを特徴とする医療情報交換システム。
【請求項２】
前記ファイル共有部は、前記ユーザから送信される所定の検索用キーワードに基づいて、前記医療情報記憶部にアクセスして前記医療情報を取得し、前記ユーザ端末に送信するとともに、前記ユーザからの前記検索用キーワードを、新たなキーワードとして、前記医療情報と関連付けて、前記医療情報記憶部に記憶することを特徴とする請求項１に記載の医療情報交換システム。
【発明の詳細な説明】
【技術分野】
【０００１】
本発明は、医療情報交換システムに関する。
【背景技術】
【０００２】
従来、医師等は、医療情報に関する経験や知識の共有のため、地域、専門分野、疾患等を軸として、勉強会や研究会等のコミュニティ（グループ）を立ち上げ、定期的に会合を開催して情報交換等を行っていた。しかし、日程や場所を決定し、その場所まで出向く必要があり、遠方に在住の医師等は勿論、多忙な中での参加が困難で、いわゆるフェイス・トゥ・フェイスで交流する時間が取れないといった問題があった。また、新薬等の最新の医療情報を医師等に提供するために、製薬会社のＭＲ（医薬情報担当者）が、医師等を個別に訪問することや、製薬会社の主催で説明会等を開催することが行われている。しかし、このような場合も医師等との日程調整に時間がかかる、地方の医師等とのコミュニケーションが希薄になるなど、効率的な情報提供を行いにくいものであった。
【０００３】
一方、近年のインターネットやテレビ会議等の通信システムの普及に伴い、互いに離れた場所であっても、手軽に会議や意見交換等ができるようになってきた。したがって、医師同士でも、フェイスブック等のＳＮＳ（Social Networking Service）や掲示板等、テレビ会議を用いて、コミュニケーションを図ることができるようになってきた。また、企業側からの医療情報の提供を、インターネット等を通じて行うシステムも開発されている（例えば、特許文献１参照）。これにより、企業側は医師等のニーズに合った情報提供を行うことができ、医師側では、面会時間等に制約されることなく、好きな時間にこれらの情報を参照することができるようになった。
【先行技術文献】
【特許文献】
【０００４】
【特許文献１】特許第４４４４５５１号公報
【発明の概要】
【発明が解決しようとする課題】
【０００５】
しかしながら、テレビ会議等を実施するためには、専用の機器やソフトウェア等の導入費用やカメラ操作や音声調整等の手間がかかる問題がある。これに対して、ＳＮＳ等を利用する場合は、低コストで手軽に実施ができるが、不特定多数の者がメンバーとなり得る。そのため、例えば、匿名での参加を前提とした場合は、無責任な書き込みや、いわゆる「荒らし」等があることがある。また、実名での参加を前提とした場合は、記載した内容がすべてポータルの掲示板上に晒されるため、書くのを控えるか、当たり障りのない内容を書くに留まっている。いずれの場合でも、医師同士の横のつながりがなく関係性が希薄なため、メンバー同士の親密度に欠けてしまう。そのため、実際に顔を突き合わせた会合等に比べて、相談や協力を依頼しにくく、医師同士の活発なコミュニケーションやつながりの強さに欠けるといった問題がある。また、特許文献２に記載の方法では、企業側から医師等に医療情報を一方的に提供するのみで、ＭＲと医師等との直接のコミュニケーションを図るものではなく、医療現場のニーズに対応しきれていない。また、企業と医師等との密接な関係が図れないという問題は解消されていない。
【０００６】
本発明は、上記の事情に鑑みて為されたもので、医師、医療会社等の医療関係者同士の親密度を高め、意見交換の活発化を図ることにより、医療関係者の親密度や連携を高め、利用者のニーズにより合致した医療情報の交換を効率的に行うことが可能な医療情報交換システムを提供することを目的とする。
【課題を解決するための手段】
【０００７】
上記の目的を達成するため、本願に係る医療情報交換システムは、ユーザ端末とサーバとが、通信ネットワークを介して相互に接続して構成され、複数のユーザで構成されるコミュニティに所属するユーザ間で医療情報を共有する医療情報交換システムであって、サーバは、ユーザの認証情報およびユーザが所属するコミュニティが関連づけられて記憶されたユーザ情報記憶部と、コミュニティごとに、医療情報がキーワードと関連付けられて記憶された医療情報記憶部と、認証情報に基づいて、サーバにアクセスするユーザの認証を行うユーザ管理部と、ユーザから投稿されるメッセージおよび医療情報を受信し、コミュニティに所属する他のユーザに送信して、ユーザ間でのメッセージの交換を行わせるメッセージ交換部と、医療情報記憶部にアクセスして、ユーザから投稿される医療情報を記憶するとともに、医療情報を読み出して、コミュニティに所属するユーザ間で医療情報を共有させるファイル共有部と、ユーザからの会議の開催要求に応じて会議を登録し、会議に参加するユーザに会議の開催を通知し、ユーザ間で医療情報を共有しながら、通信ネットワークを介してユーザ間での会議を実行させる会議実行部と、を備え、ファイル共有部は、ユーザ端末から投稿された医療情報または医療情報記憶部に記憶された医療情報を取得し、当該医療情報を解析してキーワード情報を抽出し、キーワード情報と関連付けて、コミュニティごとに医療情報およびキーワード情報を医療情報記憶部に記憶するとともに、ユーザからの検索要求に応じて、キーワード情報に基づいて医療情報記憶部を検索し、取得した医療情報を、ユーザ端末に送信することを特徴とする。
【発明の効果】
【０００８】
本発明によれば、医師、医療会社等の医療関係者同士の親密度を高め、意見交換の活発化を図ることにより、医療関係者の親密度や連携を高め、利用者のニーズにより合致した医療情報の交換を効率的に行うことが可能な医療情報交換システムを提供することができる。
【図面の簡単な説明】
【０００９】
【図１】本願の一実施例に係る医療情報交換システムのハードウェア構成例を示すブロック図である。
【図２】図１に示す医療情報交換システムの機能構成例を示すブロック図である。
【図３】ユーザ端末に表示される画面の一例を示す概略図であって、（ａ）はホーム画面の概略図であって、（ｂ）はコミュニティの初期画面の概略図である。
【図４】医療情報交換システムで実行される医療情報交換処理の工程を表すフローチャートであって、（ａ）は医療情報交換処理のメイン処理の工程を表すフローチャートであり、（ｂ）は、会議実行処理の工程を表すフローチャートである。
【発明を実施するための形態】
【実施例１】
【００１０】
以下に、本願に係る医療情報交換システムの一実施例について、図面を参照しながら説明する。図１は、実施例１に係る医療情報交換システムの全体構成を示す概略図である。図２は、医療情報交換システムの機能構成例を示すブロック図である。図１に示すように、実施例１の医療情報交換システム１００は、通信ネットワーク１を介して相互に接続されたクラウドコンピューティングサービス（以下、単に「クラウド」という）１０と、複数の端末（ユーザ端末２０、管理者端末３０）と、を備えて構成されている。
【００１１】
通信ネットワーク１は、クラウド１０と端末との接続を制御する。通信ネットワーク１としては、インターネット等の公衆電話回線、専用電話回線、光通信回線、ＰＡＮ（Personal Area Network）、ＬＡＮ（Local Area Network）、ＭＡＮ（Metropolitan Area Network）、ＷＡＮ（Wide Area Network）、Ｗｉｍａｘ（Worldwide Interoperability for Microwave Access）、携帯電話網等の無線ネットワーク等を用いることができる。
【００１２】
クラウド１０は、サーバ４０と、このサーバ４０に接続された記憶部としてのデータベース５０と、を有して構成されている。クラウドコンピューティングシステムは、サービス事業者によって提供されるものであり、ユーザがクラウドサーバ側に用意されたリソースを利用することで、ユーザ側で独自にソフトウェアやハードウェアを持たなくても、データ処理やデータ管理等を行うことができる。また、様々なＷｅｂコンテンツの提供や参照等も容易に行うことができる。さらには、サーバにアクセスする複数のユーザが、それぞれコミュニティを形成し、コミュニティのメンバー同士で掲示板等を利用して意見交換やＷｅｂコンテンツその他の情報を共有することも可能である。本実施例では、クラウド１０としてＡＭＡＺＯＮ社のＡＷＳ（AMAZON Web Services）を使用している。
【００１３】
サーバ４０は、図２に示すように、ユーザの認証やユーザ情報の管理を行うユーザ管理部４１と、医療情報の登録、共有化、解析、検索、提供等を行うファイル共有部４２と、メッセージの投稿やチャット等によりユーザ同士のメッセージのやり取りを行うメッセージ交換部４３と、オンライン会議を行う会議実行部４４と、を有して構成されている。本実施例では、前述のようにクラウド１０として、ＡＭＡＺＯＮ社のＡＷＳ（AMAZON Web Services）を使用している。そのため、サーバ４０のユーザ管理部４１、ファイル共有部４２、メッセージ交換部４３、会議実行部４４は、ＰＨＰ(Hypertext Preprocessor）等の言語により記述されたＣＧＩプログラム等により実現することができる。
【００１４】
データベース５０としては、例えば、ＭｙＳＱＬ（登録商標）等で実現されるリレーショナルデータベース、ＭｏｎｇｏＤＢ（登録商標）で実現される、いわゆるＮｏＳＱＬと呼ばれるデータベース、Ａｍａｚｏｎ  Ｓ３等の大容量ストレージサービス等を用いることができる。本実施例では、ユーザの認証情報等を記憶するユーザ情報記憶部５１として、ＭｙＳＱＬを用い、医療情報やそのキーワード情報を記憶する医療情報記憶部５６として、ＭｏｎｇｏＤＢおよびＡｍａｚｏｎ  Ｓ３を用いている。このＭｏｎｇｏＤＢは、医療情報としての症例情報や症例相談情報等を記憶する症例情報記憶部５２に用いている。また、Ａｍａｚｏｎ  Ｓ３は、症例情報以外の医療情報や学術論文その他の医療に関する資料（医療情報）や、これらから抽出したキーワード情報等を記憶する医療情報・キーワード情報記憶部５３に用いている。また、この医療情報・キーワード情報記憶部５３は、医療情報が記憶される医療情報記憶領域５４、および、症例情報記憶部５２や医療情報・キーワード情報記憶部５３の各種医療情報を総合的に共有し検索等を行うためのキーワード（例えば、タグ、索引等）が記憶されるキーワード情報記憶領域５５等を有している。本実施例では、症例情報記憶部５２と医療情報・キーワード情報記憶部５３との２つのファイルで、医療情報記憶部５６を構成しているが、本願が実施例の構成に限定されることはない。上述したようなすべての医療情報およびキーワード情報を、１つのファイルに記憶するようにしてもよい。
【００１５】
なお、本願で用いるサーバ４０やデータベース５０は、実施例１の構成に限定されるものではなく、他のクラウドコンピューティングサービスのサーバやデータベースを用いてもよい。また、クラウドコンピューティングサービスのサーバやデータベースに限定されることはなく、病院や医療会社等に設置したサーバ、ハードディスク等のデータベース等を用いてもよい。
【００１６】
ユーザ情報記憶部５１は、ユーザに関する様々な情報（ユーザ情報）が記憶される。具体的には、ユーザ端末２０から入力されるユーザ（会員）の認証情報や、ユーザのプロフィール情報が記憶される。この場合の認証情報としては、例えば、メールアドレス等のユーザＩＤと、パスワードが挙げられる。また、プロフィール情報としては、ユーザの名前、性別、メールアドレス、学歴、職業（医師、薬剤師、看護師、製薬会社員、介護スタッフ等）、勤務先や所属グループ（例えば、医会名、病院名、企業名）、当該ユーザが所属するコミュニティの一覧等が挙げられる。また、簡単な自己紹介や、関心のある医療ジャンル、顔写真等を登録してもよい。
【００１７】
本願の医療情報交換システム１００は、会員やコミュニティ主催者等の紹介や推薦により、身元照会が行われたユーザのみが会員として登録できる。そのため、登録したユーザ情報が、同じコミュニティに所属するユーザ（会員）以外には公開されることはなく、秘匿性が担保される。また、人物照会会社等にユーザの照会を依頼する等の手間や費用を省くことができ、効率的で低コストに実施が可能となるともに、なりすまし等を防止して、セキュリティ性に優れた会員登録が可能となる。
【００１８】
以上のような背景から、ユーザ情報記憶部５１のユーザ情報は、ユーザが直接に登録するのではなく、管理者端末３０を介して管理者が最初に登録する。この登録（会員登録）が完了すると、会員となったユーザは、ユーザ端末２０からユーザＩＤやパスワードを入力することにより、医療情報交換システム１００にアクセスすることができる。なお、会員登録後は、ユーザＩＤとパスワードとを入力して認証を受けることにより、ユーザ自身がプロフィール等を修正することができる。なお、これらのユーザ認証情報は、暗号化されて送受信され、個人情報の漏えい等を防止している。
【００１９】
医療情報記憶部５６の症例情報記憶部５２には、ユーザが投稿した症例情報、この症例情報に対する回答やコメント等が互いに関連付けられて記憶される。より具体的には、ユーザが投稿した症例に関する発言や画像、他のユーザから投稿された回答やコメント、評価等が、互いに対応づけられてログとして症例情報記憶部５２に蓄積される。また、誰が投稿や回答、コメント等を行ったかの情報も、ユーザ情報記憶部５１と関連づけられて、症例情報記憶部５２に記憶される。また、ユーザが日々の出来事等を日記形式で投稿した情報も症例情報記憶部５２に記憶される。これらの症例情報記憶部５２は、コミュニティごとに設けられ、当該コミュニティに登録されたユーザのみ閲覧等ができるようにファイル共有部４２により管理されている。
【００２０】
医療情報記憶部５６において、医療情報・キーワード情報記憶部５３の医療情報記憶領域５４には、学術論文、各種医療情報、医療関連文献等、医療関係の様々な資料が記憶されている。これらの情報は、ユーザが投稿したメッセージやコンテンツ、サービス業者等から送信される各種資料等から構成される。また、キーワード情報記憶領域５５には、症例情報記憶部５２や医療情報記憶領域５４の各種医療情報から、文書解析によって抽出したタグや索引等のキーワードが、当該医療情報と関連付けられて記憶される。また、ユーザが症例情報記憶部５２や医療情報・キーワード情報記憶部５３の医療情報を検索する際に、検索キーワードとして入力したものも、キーワード情報として、検索された医療情報と関連付けてキーワード情報記憶領域５５に記憶される。このように、キーワード情報記憶領域５５のキーワードに基づいて、症例情報記憶部５２や医療情報記憶領域５４を検索して、ユーザの要求に合致した情報を適切に取得することができる。また、このキーワード情報は、ユーザに注目されている医療情報やユーザが興味を持つ医療情報の傾向などを分析する情報源として活用すること等も可能となる。
【００２１】
ユーザ端末２０は、医療情報交換システム１００の会員である医師、医療会社のＭＲ等の医療関係者（以下、「ユーザ」と呼ぶ）が、医療情報交換システム１００にアクセスするために用いるものである。ユーザ端末２０としては、図１に示すように、パーソナルコンピュータ２０Ａ、タブレット端末２０Ｂ、携帯電話等のモバイル２０Ｃ等から構成される。管理者端末３０は、ユーザの登録や医療情報の登録等の管理を行う管理者が使用する端末であり、パーソナルコンピュータ等から構成される。
【００２２】
図２に示すように、ユーザ端末２０は、サーバ４０から送られるＷｅｂコンテンツ（画面）を表示して閲覧するためのモニタ等の表示部２１を少なくとも備えている。このようなＷｅｂコンテンツは、コンピュータ言語のＪａｖａＳｃｒｉｐｔ（登録商標）やＨＴＭＬ等により記載され、ブラウザアプリケーションによって表示部２１に表示される。ブラウザアプリケーションとしては、特に限定されることはなく、例えば、Ｍｃｒｏｓｏｆｔ社のＩｎｔｅｒｎｅｔ  Ｅｘｐｌｏｒｅｒ（登録商標）、Ｇｏｏｇｌｅ社のＧｏｏｇｌｅ  Ｃｈｒｏｍｅ（登録商標）、Ａｐｐｌｅ社のＳａｆａｒｉ（登録商標）、Ｍｏｚｉｌｌａ  Ｆｏｕｎｄａｔｉｏｎ社のＭｏｚｉｌｌａ  Ｆｉｒｅｆｏｘ等が挙げられる。
【００２３】
ユーザ端末２０は、さらに、投稿やコメント等のメッセージの入力等を行うためのキーボードやマウス等からなる入力部２２、投稿する画像やサーバ４０からダウンロードした画像その他の情報を記憶する記憶部２３、オンライン会議の際に使用するカメラ等の撮像部２４、音声の入出力を行うマイクやスピーカ等のオーディオ部２５等を備えている。記憶部２３としては、ユーザ端末２０に内蔵または外装されたハードディスクやフラッシュメモリ等が挙げられる。また、ユーザ端末２０は、医療情報等を印刷するプリンタや、画像情報を取り込むスキャナ等を備えていてもよい。管理者端末３０についても、図示はしないが、ユーザ端末２０と同様に、表示部、ユーザ情報を入力する入力部、記憶部等を備えて構成されている。
【００２４】
ユーザ管理部４１は、前述のように、ユーザの認証やユーザ情報の管理を行う。ユーザ情報の管理としては、ユーザ管理部４１は、管理者が管理者端末３０を介して入力したユーザ情報を受信し、ユーザ情報記憶部５１に登録する。また、ユーザがユーザ端末２０を介して入力したユーザ情報の修正情報を受信し、ユーザ情報記憶部５１を更新する。ユーザの認証についての詳細は、後述する。
【００２５】
ファイル共有部４２は、図２に示すように、症例情報記憶部５２や医療情報・キーワード情報記憶部５３への医療情報の記憶（登録、更新等）と読み込みを行うデータアクセス部４２１、医療情報を解析してタグ等のキーワードを抽出して管理するデータ解析部４２２、および、ユーザ端末２０の表示部２１に表示する表示画像を生成・編集してユーザ端末２０に送信する表示画面生成部４２３を備えて構成される。なお、表示画像に用いるテンプレート等は、データベース５０等に予め記憶されている。表示画面生成部４２３は、このテンプレートに、必要な情報を埋め込んで表示画像を生成する。
【００２６】
メッセージ交換部４３は、ユーザから送信された投稿メッセージやチャットメッセージを受信し、コミュニティに所属するユーザ全員、または、指定されたユーザに、当該メッセージを送信する機能を有する。この機能により、コミュニティに所属するユーザ同士が、メッセージのやり取りを行うことができる。この場合、画像や文書等を添付して送信することができる。また、この添付された情報は、ファイル共有部４２に送信されて、キーワードが抽出され、このキーワードと関連づけられて、やり取りされたメッセージが医療情報・キーワード情報記憶部５３に記憶される。
【００２７】
会議実行部４４は、ユーザ（会議主催者）からの会議開催要求に基づいて、会議を登録し、会議の参加者に通知するとともに、オンライン会議ツールを起動してオンライン会議（Ｗｅｂ会議）を実行する機能を有する。このオンライン会議ツールとしては、従来公知のいずれのものを用いてもよいが、例えば、Ｃｉｓｃｏ社のＣｉｓｃｏ  Ｗｅｂｅｘ（登録商標）等を用いることができる。
【００２８】
［医療情報交換システムの動作］
上述のような構成の医療情報交換システム１００における動作（医療情報交換方法）について説明する。この医療情報交換システム１００において、ユーザがユーザ端末２０を操作してブラウザアプリケーションを起動し、サーバ４０にアクセスするとことにより、処理が開始される。以下、この医療情報交換システム１００のメイン処理を、図４（ａ）のフローチャートを参照して説明する。
【００２９】
ユーザがサーバ４０にアクセスすると、表示画面生成部４２３が、ユーザＩＤとパスワードとを入力するログイン画面（図示せず）を送信する（ステップＳ１０）。これにより、ログイン画面がユーザ端末２０の表示部２１に表示される。ユーザは、このログイン画面にユーザＩＤとパスワードとを入力し、ログインボタンをクリックする。この操作により、ユーザ端末２０からサーバ４０に対して、ユーザＩＤとパスワードとからなる認証情報が暗号化されて送信される。なお、当該ユーザは、既にユーザ登録が完了しており、ユーザ情報記憶部５１には、当該ユーザのユーザ情報が記憶されているものとする。
【００３０】
上記認証情報を受信したサーバ４０側では、ユーザ管理部４１により、ユーザ認証が行われる（ステップＳ１１）。ユーザ認証が正常に行われると、医療情報交換システム１００のホーム画面の表示が行われる（ステップＳ１２）。このホーム画面で、ユーザが操作したいコミュニティを選択することで、コミュニティ初期画面の表示が行われる（ステップＳ１３）。その後、ユーザの指定に対応して、メッセージ交換部４３によるメッセージ交換処理として、日々の話題のシェア処理（ステップＳ１４）および症例相談処理（ステップＳ１５）、会議実行部４４によるオンライン会議処理（ステップＳ１６）、ファイル共有部４２によるデータ検索処理（ステップＳ１７）等が実行される。また、日々の話題のシェア処理、症例相談処理、オンライン会議処理、ファイル検索処理で扱われる医療情報は、ファイル共有部４２によって解析され、キーワードと関連付けられてデータベース５０に記憶される。また、ユーザによるログオフ操作や、ブラウザアプリケーションの終了操作等が行われると、終了処理（ステップＳ１８）が実行され、当該ユーザによる医療情報交換処理が終了する。
【００３１】
以下、各ステップにおける処理の詳細を説明する。コミュニティとしては、医会、病院のコミュニティ、開業医グループのコミュニティ、介護スタッフのコミュニティ、製薬会社のコミュニティ、または、これらのメンバーが混合したコミュニティ等がある。実施例１では、ユーザである医師が、所属する医会のコミュニティで、日々の話題や症例相談を投稿し、医療情報を取得等のメッセージ交換を行い、講演や研究報告等のオンライン会議を開催することを想定して説明するものとする。
【００３２】
（ステップＳ１１：ユーザ認証処理）
サーバ４０のユーザ管理部４１は、ユーザ端末２０から送信されたユーザ認証情報を受信すると、ユーザＩＤをキーとして、ユーザ情報記憶部５１を参照し、ユーザ情報を取得する。ユーザ管理部４１は、ユーザ端末２０からのパスワードと、ユーザ情報記憶部５１からのユーザ情報のパスワードとを照合することにより、ログインしたユーザが、本システムの正当なユーザであるか否かを認証する。正当なユーザと判断した場合には、その後のユーザによる医療情報交換システム１００へのアクセスを許可する。正当なユーザではないと判断した場合には、認証エラーとして、その旨をユーザ端末２０に通知するとともに、医療情報交換システム１００へのその後のアクセスを許可しないように制御する。
【００３３】
（ステップＳ１２：ホーム画面の表示）
上記ユーザ認証が正常に行われると、ユーザ端末２０の表示部２１には、図３（ａ）に示すように、医療情報交換システム１００のホーム画面６０が表示される。このホーム画面６０は、表示画面生成部４２３により編集され、ユーザ端末２０に送信される。まず、ユーザ情報記憶部５１から取得した当該ユーザの所属するコミュニティ情報に基づいて、データアクセス部４２１が、医療情報記憶部５６の症例情報記憶部５２および医療情報・キーワード情報記憶部５３にアクセスし、各コミュニティに関連する医療情報を取得する。表示画面生成部４２３は、症例情報記憶部５２および医療情報・キーワード情報記憶部５３から読み出した医療情報、ユーザ情報記憶部５１から取得したユーザ情報に基づいて、ホーム画面６０を編集し、ユーザ端末２０に送信する。これにより、ユーザは、表示部２１を介してホーム画面６０を閲覧することができる。
【００３４】
このホーム画面６０には、図３（ａ）に示すように、領域６１に、ユーザの顔写真や名前等のプロフィール情報や、出席予定の会議情報等が表示される。また、ホーム画面６０の領域６２には、ホーム画面へのリンク、プロフィール変更画面へのリンク、出席予定の会議情報等も表示される。ユーザが、プロフィール変更へのリンクをクリックすることで、プロフィール変更画面（図示せず）が表示され、ユーザは、自身のプロフィールを変更することができる。また、ホーム画面６０の領域６３には、ユーザの投稿等に対する評価等が表示される。また、領域６４には、ユーザの所属する各コミュニティに関連する症例相談等の投稿メッセージ、医療情報等の抄録一覧が表示される。ユーザが、抄録一覧のいずれかをクリックすることにより、その医療情報の詳細や、投稿したメッセージに付された他ユーザからのコメントや評価等を閲覧することができる。
【００３５】
（ステップＳ１３：コミュニティ初期画面の表示）
ホーム画面６０に表示されたコミュニティバー６５をクリックすると、ユーザが所属するコミュニティの一覧が表示される。ユーザが、その中から操作したいコミュニティを選択してクリックすることで、図３（ｂ）に示すような当該コミュニティの初期画面６６が表示される。この初期画面６６も、表示画面生成部４２３により生成される。ユーザは、例えば、Ａ医会のコミュニティを選択したとすると、初期画面６６には、図３（ｂ）に示すように、領域６７に、コミュニティ名（Ａ医会）や、当該コミュニティのメンバー一覧へのリンク、日々の話題のシェア画面へのリンク、症例相談画面へのリンク、オンライン会議の登録画面へのリンク、共有フォルダ画面へのリンク等が表示される。また、領域６８には、ホーム画面６０の領域６１〜６３と同様に、ユーザのプロフィール情報、出席予定の会議、評価等が表示される。さらに、領域６９には、コミュニティ（Ａ医会）に関連する医療情報の抄録一覧が表示される。なお、図３（ａ）、（ｂ）に記載されたホーム画面６０および初期画面６６の構成（レイアウト）は一例であり、本願がこれらに限定されることはなく、表示する項目、デザイン等に応じて、適宜の構成とすることができる。
【００３６】
（ステップＳ１４：日々の話題のシェア処理）
ユーザが、日々の話題のシェア（共有）を行う場合には、初期画面６６の領域６７に表示された日々の話題のシェア画面へのリンクをクリックする。この操作により、日々の話題のシェア画面（図示せず）が表示され、ユーザは、コミュニティのメンバー（ユーザ）同士でシェアしたい話題（例えば、情報提供や、日々の医療業務における気になった話題等）を文書で入力して、投稿（送信）することができる。また、この話題とともに、文献、写真、イラスト等の添付資料を添付することもできる。この投稿された話題と添付資料とは、ファイル共有部４２のデータ解析部４２２によって、文書や画像の解析が行われ、タグや索引等のキーワードが抽出され、データアクセス部４２１によってキーワードと関連付けられて医療情報・キーワード情報記憶部５３に記憶される。
【００３７】
この文書や画像の解析方法としては、形態素解析や構文解析等、何れのものを用いてもよい。また、この投稿された話題や画像は、表示画面生成部４２３によって、コミュニティの各ユーザのホーム画面６０や初期画面６６の医療情報一覧にリアルタイムに表示される。各ユーザは、この投稿を閲覧することで、情報をシェアし、今後の医療業務での参考にすることや、チャットや会議等を利用して意見交換することができる。また、日々の話題が投稿されると、メッセージ交換部４３は、コミュニティに所属するユーザにメールを送信し、投稿があったことを通知する。このメールにより、ユーザは医療情報交換システム１００にアクセスしていなくても、日々の話題の投稿があったことを知ることができる。その後、医療情報交換システム１００にアクセスすることで、詳細な内容を閲覧することができる。
【００３８】
（ステップＳ１５：症例相談処理）
ユーザが、初期画面６６の領域６７に表示された症例相談画面へのリンクをクリックすると、ユーザ端末２０の表示部２１には、症例相談画面（図示せず）が表示される。ユーザは、この症例相談画面で、他のユーザに相談したい症例に係る情報（例えば、疾患名、相談タイトルおよびその詳細な内容、患者の年齢、性別、身長体重等のプロファイル等）を入力して投稿（送信）する。この時、患部の写真等の画像を添付してもよい。この投稿された症例情報は、ファイル共有部４２のデータ解析部４２２によって、文書の解析が行われ、タグや索引等のキーワードが抽出される。この症例情報は、医療情報として、データアクセス部４２１によってキーワードと関連付けられて症例情報記憶部５２に記憶される。抽出されたキーワードは、医療情報・キーワード情報記憶部５３のキーワード情報記憶領域５５に記憶される。また、この症例情報は、表示画面生成部４２３によって、コミュニティの各ユーザのホーム画面６０や初期画面６６の医療情報の抄録一覧にリアルタイムに表示される。各ユーザは、抄録一覧に表示された当該症例情報を閲覧することで、症例相談があったことを認識するともに、症例情報を共有することができる。また、症例情報の投稿があった場合にも、メッセージ交換部４３により、コミュニティに所属するユーザにメールが送信され、投稿があったことがコミュニティの各ユーザに通知される。
【００３９】
そして、ホーム画面６０または初期画面６６で、当該症例情報をクリックすることで、ユーザは詳細な症例情報を閲覧することができる。また、この閲覧画面では、他のユーザが、症例に対して、診断や治療方法のアドバイス等を入力して送信することで、症例に対するコメントを投稿することができる。また、当該症例相談に対して、評価ボタンをクリックすることで、評価（例えば、「いいね」等）することができる。また、ユーザに投稿されたコメントは、データ解析部４２２によってキーワードが抽出され、データアクセス部４２１によって、このキーワードおよび症例相談と関連付けられて症例情報記憶部５２に記憶される。また、表示画面生成部４２３によって、このコメントが症例情報とともに、コミュニティの各ユーザのホーム画面６０や初期画面６６の医療情報一覧に表示され、コミュニティの各ユーザは、症例およびその治療方法等を共有することができる。また、職種、専門、活動目的等が同じコミュニティのメンバー間で、実名による意見交換が実現できるため、メンバー同士のつながりが密となり、より活発で有意義な意見交換の実現が可能となる。
【００４０】
（ステップＳ１６：オンライン会議実行処理）
オンライン会議（Ｗｅｂ会議）を行うには、まず、会議の主催者が、サーバ４０に対して会議の開催を要請する。具体的には、ユーザが、ユーザ端末２０において、初期画面６６の領域６７に表示された会議の登録画面へのリンクをクリックする。この操作により、会議の登録画面（図示せず）が表示される。この登録画面で、ユーザは、会議の議題、概要、開催日時、予定時間（または終了時刻）等の会議登録情報を入力する。ユーザは、さらに、コミュニティ内のユーザ一覧から、会議に招待するメンバー（参加者）を選択し、送信ボタンをクリックする。この操作により、サーバ４０に会議の要請が通知される。
【００４１】
なお、この参加者の選択の際に、コミュニティに所属するメンバー以外のユーザを招待してもよい。例えば、Ａ医会のコミュニティで、新薬に関する検討会議を開催したいときに、製薬会社のＭＲを招待して、新薬に関する情報提供やアドバイスを受けることができる。なお、コミュニティのメンバー以外の参加者は、医療情報交換システム１００に会員登録しているユーザであれば、本人確認や身元確認後に登録されているため、実名性、透明性が担保され、活発な意見交換が実現できる。また、ユーザ登録されていない参加者を、単発で一時的に招待するものであってもよい。この場合も、コミュニティに所属するユーザによる身元確認ができているため、実名性、透明性が担保され得る。
【００４２】
以下、サーバ４０側で行われるオンライン会議の実行処理について、図４（ａ）のフローチャートを用いて説明する。サーバ４０の会議実行部４４は、ユーザ端末２０から送信された会議登録情報を取得する（ステップＳ１６０）。この会議登録情報に基づいて、会議実行部４４は、オンライン会議ツールやスケジューラ等に、当該会議の開催日時等を登録する（ステップＳ１６１）。次に、会議実行部４４は、テーマ、概要、日時会議登録情報中の招待メンバー一覧に基づいて、会議への招待メールを作成し、招待された参加者および会議の主催者に送信する（ステップＳ１６２）。このメールには、会議主催者の情報、議題、概要、開催日時、予定時間（終了時刻）等の会議登録情報、会議の開催場所のＵＲＬ等が記載される。なお、メール送信時に用いるメールアドレスは、ユーザ情報記憶部５１に記憶された各ユーザのメールアドレスが使用される。また、登録された会員以外を招待する場合には、参加者の選択の際に会議主催者からメールアドレスを入力してもらい、このメールアドレスを使用してもよい。なお、会議の開催通知は、メールに限定されることはなく、参加者に該当するユーザが医療情報交換システム１００にログインした際に、招待メッセージ等を表示部２１に表示するようにしてもよい。
【００４３】
次に、会議実行部４４では、会議時間を監視するとともに、会議への参加者のログインを監視する（ステップＳ１６３）。会議の時間が近づいたら、会議の参加者は、撮像部２４やオーディオ部２５が機能するように準備した上で、医療情報交換システム１００にログインする。このログインは、ログイン画面からユーザＩＤとパスワードを入力し、会議画面へのリンクをクリックする等で行ってもよいが、本実施例では、招待メールに記載されたＵＲＬをクリックすることによりログインすることができる。この操作により、会議実行部４４は、オンライン会議ツール（例えば、Ｃｉｓｃｏ  Ｗｅｂｅｘ）を起動し、会議を開始する（ステップＳ１６４）。ログインが完了した参加者のユーザ端末２０の表示部２１には、このオンライン会議ツールの画面が表示される。また、会議実行部４４は、ログインが完了した参加者の名前等を、画面上に表示する。会議の主催者は、表示部２１の画面上に表示された参加者名を閲覧することにより、全員が参加したか否かを把握し、会議を開始するタイミングを図ることができる。
【００４４】
また、会議が開始されると、主催者または参加者から会議資料が提供される。この会議資料の提供は、例えば、主催者または参加者が、自身のユーザ端末２０の記憶部２３等の記憶された会議資料をドラッグして、参加者一覧の中で、会議資料を共有したい参加者の名前まで移動させ、その位置でドロップする。この操作により、会議資料がサーバ４０に送信され、会議実行部４４では、この会議資料を参加者の各々のユーザ端末２０の表示部２１に表示して、当該参加者が会議資料を共有して参照できるようにする（ステップＳ１６５）。したがって、会議の参加者は、この会議資料を互いに参照しながら会議を進めることができる。
【００４５】
以上より、会議の参加者は、会議資料を共有して参照しながら、オーディオ部２５のマイクやスピーカを使用して、音声による意見交換を行うことができる。この会議資料の共有化により、主催者や参加者が、マウスポインタ等により指した箇所を参照しながら、円滑に会議を行うことができる。また、マーカの付与や書き込み等が行われた場合にも、参加者全員が同時に参照することができる。また、カメラ等の撮像部２４を用いた場合には、他の参加者の映像を見ながら、臨場感のある会議を行うことができる。なお、会議の参加者は、コミュニティに所属するユーザ等で構成され、実名性が担保されているため、忌憚のない活発な意見交換が可能となる。また、映像や音声による意見交換だけでなく、メッセージ交換部４３等の制御により、チャットを用いたメッセージ交換を行うように構成してもよい。
【００４６】
また、会議が終了して主催者が会議終了ボタンをクリックすることにより、オンライン会議が終了する。このとき、会議で提供され使用された会議資料に関して、データ解析部４２２が解析してキーワード等を抽出する。そして、データアクセス部４２１が、このキーワード情報と関連付けて、当該会議資料を医療情報・キーワード情報記憶部５３に記憶し、キーワードをキーワード情報記憶領域５５に記憶する（以上、ステップＳ１６６）。このとき、追加資料だけでなく、チャットの履歴、音声ファイル等も記憶するようにしてもよい。これにより、会議で使用したすべての資料や情報を、互いに関連付けて共有情報として管理および利用することができる。
【００４７】
（ステップＳ１７：データ検索処理）
ユーザが、初期画面６６の領域６７に表示された共有フォルダ画面へのリンクをクリックすると、ユーザ端末２０の表示部２１には、共有フォルダ画面（図示せず）が表示される。この共有フォルダ画面では、コミュニティで共有する医療情報の抄録一覧等が表示され、ユーザが閲覧できる。また、ユーザは、この共有フォルダ画面で、コミュニティのメンバーで共有したいファイルをサーバ４０に送信することができる。この操作により、サーバ４０のファイル共有部４２では、データ解析部４２２の解析によるキーワード等の抽出、データアクセス部４２１による医療情報・キーワード情報記憶部５３への記憶等が行われ、コミュニティのメンバーが、共有して検索や参照等ができるようになる。
【００４８】
また、共有フォルダ画面では、ユーザが医療情報を検索することができる。この場合、ユーザは検索したい医療情報に関する適宜の検索用キーワードを入力してサーバ４０に送信し、検索要求を行う。ユーザ端末２０から送信された検索用キーワードに基づいて、データ検索部４２４が、データベース５０の医療情報記憶部５６全体を検索し、検索用キーワードにヒットする医療情報を取得する。本実施例では、さらに、医療情報・キーワード情報記憶部５３のキーワード情報記憶領域５５にアクセスし、取得した医療情報に付与されたキーワード情報を取得し、このキーワード情報に基づいて、当該医療情報に関連する医療情報を、症例情報記憶部５２や医療情報・キーワード情報記憶部５３から取得する。表示画面生成部４２３は、これらの医療情報の抄録一覧をユーザ端末２０の表示部２１に表示する。
【００４９】
以上のように、ユーザは、所定の検索用キーワードを入力するだけで、その検索用キーワードにヒットする医療情報だけでなく、この医療情報に関連した他の医療情報をも取得することができる。したがって、ユーザの要求に合致する医療情報を、より多く的確に提供することができる。また、ファイル共有部４２では、ユーザが検索に使用した検索用キーワードを、新たなキーワード情報として、上記で取得した医療情報に関連付けて、医療情報・キーワード情報記憶部５３のキーワード情報記憶領域５５に記憶する。これにより、キーワード情報が増えて、医療情報の参照や検索を、より容易かつ的確に行うことができる。
【００５０】
（ステップＳ１８：終了処理）
ユーザが、ログオフボタンをクリックするか、ブラウザアプリケーションを終了させることで、当該ユーザによる医療情報交換システム１００へのアクセスが終了する。また、このアクセスの終了時には、ファイル共有部４２では、当該ユーザのアクセスにより、追加された医療情報に対して、解析や記憶が済んでいないものに関して、これらの解析、医療情報・キーワード情報記憶部５３への記憶を行う。
【００５１】
以上、本実施例の医療情報交換システム１００によれば、実名性、透明性が担保されることで、医師、医療会社等の医療関係者同士の親密度を高めることができる。これにより、意見交換の活発化を図ることが可能となり、医療関係者の親密度や連携を高め、利用者のニーズにより合致した医療情報の交換を効率的に行うことが可能となる。
【００５２】
また、上記では、Ａ医会に所属する複数の医師による医療情報交換を行う実施例について説明したが、本願がこの実施例に限定されることはない。例えば、介護や被災地支援を行う場合、介護・看護スタッフや担当医師、遠隔地でサポートするサポート医師、現場で救護活動を行う救護医師等でコミュニティを形成し、介護や被災地支援のための医療情報交換を行ってもよい。この例では、介護・看護スタッフや担当医師、救護医師等は、介護、被災地支援に関する状況レポートを、医療情報として、ユーザ端末２０からサーバ４０に送信する。すると、サーバ４０のファイル共有部４２が、この状況レポートを解析してキーワード付けや関連付け等の編集を行い、医療情報記憶部５６に記憶する。コミュニティに所属するサポート医師等、他のユーザは、サーバ４０にアクセスすることで、医療情報記憶部５６に記憶された状況レポートを共有することにより、メッセージ交換等でアドバイスや指示を与えることや、オンライン会議を用いて、リアルタイムに相談や検討を行うことができる。
【００５３】
なお、被災地等で活動する場合、介護・看護スタッフや救護医師等のユーザ端末２０がサーバ４０に接続できないことがある。その場合は、当該ユーザから入力される介護・看護に関する状況レポートをオフラインでユーザ端末２０の記憶部２３に蓄積しておく。当該ユーザ端末２０が通信ネットワーク１を介してサーバ４０に接続されたときに、記憶部２３に蓄積された状況レポートを、医療情報としてサーバ４０に自動転送するようにしてもよい。これにより、オンライン時と同様に、状況レポートをユーザが共有して閲覧等を行うことができる。
【００５４】
また、医療情報交換システム１００を、医療研究分野に適用することもできる。例えば、企業の研究者、研究所等の各種機関の研究者、大学の研究員、さらには、製薬会社のＭＲ等で、コミュニティを構成する。そして、各研究者が、チャット等により、日々の研究成果についてメッセージ交換を行うことができる。また、研究成果をまとめた研究結果資料を医療情報として入力し、サーバ４０に送信する。この医療情報は、ファイル共有部４２によりキーワード付けや関連付けが行われ、医療情報記憶部５６に記憶されることで、コミュニティに所属するユーザで共有することができる。ユーザは、日々の研究成果報告を参照することができるとともに、これらの情報に基づいて、オンライン会議を開催することができる。このオンライ会議として、例えば、コミュニティ内で複数のチームを形成し、そのチームのメンバーのみで会議を開催し、日々の進捗状況を確認し合うことができる。また、このときの議事録や報告書をサーバ４０に送信することにより、解析等が行われた上で医療情報記憶部５６に記憶され、メンバー同士で共有することができる。また、この議事録等を共有することで、コミュニティのメンバー全員で、会議を開催し、研究報告会等を行うことができる。また、このときの報告書等も医療情報記憶部５６に記憶することで、共有することができる。
【００５５】
また、以上のように医療情報記憶部５６に記憶された医療情報は、タグや索引等のキーワードが付けられ、互いに関連付けられている。ユーザが医療情報検索のため、ユーザが検索用キーワードを入力すると、データアクセス部４２１が当該検索用キーワードに基づいて、医療情報記憶部５６を検索し、取得した医療情報をユーザに送信する。これにより、ユーザは、要求に的確に合致した医療情報を取得することができる。また、蓄積されたキーワードを参照することにより、コミュニティに所属するユーザが求めている情報、興味のある分野等を把握することができる。例えば、医療会社のＭＲ等が、医者等が興味のある症例、医薬、その他の医療情報や、知りたい情報を把握することで、その興味や要求に対応した医薬情報等を、招待されたオンライン会議等で提供することもできる。
【００５６】
以上、本発明の実施例を図面により詳述してきたが、上記各実施例は本発明の例示にしか過ぎないものであり、本発明は上記各実施例の構成にのみ限定されるものではない。本発明の要旨を逸脱しない範囲の設計の変更等があっても、本発明に含まれることは勿論である。
【符号の説明】
【００５７】
１  通信ネットワーク    
１０  クラウド（クラウドコンピューティングサービス）    ２０  ユーザ端末
２０Ａ  パーソナルコンピュータ    ２０Ｂ  タブレット端末
２０Ｃ  モバイル    ４０  サーバ    ４１  ユーザ管理部
４２  ファイル共有部    ４３  メッセージ交換部    ４４  会議実行部
５０  データベース    ５１  ユーザ情報記憶部    ５２  症例情報記憶部
５３  医療情報・キーワード情報記憶部    ５４  医療情報記憶領域
５５  キーワード情報記憶領域    ５６  医療情報記憶部
１００  医療情報交換システム
【図１】
2014228978.tif 000003
【図２】
2014228978.tif 000004
【図３】
2014228978.tif 000005
【図４】
2014228978.tif 000006